(57)【要約】【課題】電子文書を閲覧する際に表示される内容のレベルに応じて、利用者にとって有用と思われる箇所を通知することが可能な仕組みを提供することを目的とする。【解決手段】前記電子ファイルの内容に対する重要度を記憶した重要度記憶手段と、表示された電子ファイルへのスクロールを受付けるスクロール受付手段と、前記受け付けたスクロールにより表示される内容に対する重要度に応じて、前記電子ファイルへのスクロールの速度を制御するスクロール制御手段と、を有することを特徴とする。【選択図】図７
2015049663.tif 000002
【特許請求の範囲】
【請求項１】
サーバと文書閲覧装置がネットワークを介して接続され、保存された電子ファイルを閲覧可能な文書閲覧システムであって、
前記電子ファイルの表示項目に対する重要度を記憶した重要度記憶手段と、
表示された電子ファイルへのスクロールを受付けるスクロール受付手段と、
前記受け付けたスクロールにより表示される表示項目に対する重要度に応じて、前記電子ファイルへのスクロールの速度を制御するスクロール制御手段と、
を有することを特徴とする文書閲覧システム。
【請求項２】
前記スクロール制御手段は、前記ファイルの表示項目の重要度が高い場合には、スクロールの速度が遅くなるように制御することを特徴とする請求項１記載の文書閲覧システム。
【請求項３】
前記スクロール制御手段は、前記ファイルの表示項目の重要度が低い場合には、スクロール速度が速くなるように制御することを特徴とする請求項１または２記載の文書閲覧システム。
【請求項４】
前記重要度記憶手段は前記電子ファイルのページごとの重要度を記憶するものであることを特徴とする請求項１または３のいずれか１項に記載の文書閲覧システム。
【請求項５】
前記スクロール受付手段は前記受け付けたスクロールの向きを検知するスクロール方向検知手段と、
前記スクロール方向検知手段により順方向とは逆方向へのスクロールが検知された場合、前記スクロール制御手段は、前記重要度が低いページはスキップするよう制御することを特徴とする請求項４記載の文書閲覧システム。
【請求項６】
前記表示された電子文書の閲覧状況に応じて前記重要度記憶手段に記憶された重要度を変更する重要度変更手段と、を更に有することを特徴とする請求項１乃至５のいずれか１項に記載の文書閲覧システム。
【請求項７】
電子ファイルを閲覧する文書閲覧装置であって、
前記電子ファイルの表示項目に対する重要度を記憶した重要度記憶手段と、
表示された電子ファイルへのスクロールを受付けるスクロール受付手段と、
前記受け付けたスクロールにより表示される内容に対する重要度に応じて、前記電子ファイルへのスクロールの速度を制御するスクロール制御手段と、
を有することを特徴とする文書閲覧装置。
【請求項８】
サーバと文書閲覧装置がネットワークを介して接続され、保存された電子ファイルを閲覧可能で、前記電子ファイルの表示項目に対する重要度を記憶した重要度記憶手段を有する文書閲覧システムの制御方法であって、
スクロール受付手段が、表示された電子ファイルへのスクロールを受付けるスクロール受付ステップと、
スクロール制御手段が、前記受け付けたスクロールにより表示される表示項目に対する重要度に応じて、前記電子ファイルへのスクロールの速度を制御するスクロール制御ステップと、
を有することを特徴とする文書閲覧システム。
【請求項９】
サーバと文書閲覧装置がネットワークを介して接続され、保存された電子ファイルを閲覧可能で、前記電子ファイルの内容に対する重要度を記憶した文書閲覧システムで読み取り可能なプログラムであって、
前記文書閲覧システムを、
前記電子ファイルの内容に対する重要度を記憶した重要度記憶手段と、
表示された電子ファイルへのスクロールを受付けるスクロール受付手段と、
前記受け付けたスクロールにより表示される表示項目に対する重要度に応じて、前記電子ファイルへのスクロールの速度を制御するスクロール制御手段と、
を有することを特徴とする文書閲覧システムとして機能させるためのプログラム。
【発明の詳細な説明】
【技術分野】
【０００１】
本発明は、閲覧するために表示された文書のスクロールの速度を変更することが可能な文書閲覧システムの技術に関する。
【背景技術】
【０００２】
従来から、電子ファイルをＰＣなどの情報処理装置で閲覧することが行われている。そして電子ファイルを複数のユーザで共有する場合などよく読まれた部分を共有したいというニーズがある。
【０００３】
これは、ページ数の多い文書の場合、全てを読むには時間がかかりすぎるし、どこが重要なのかを把握するもの困難なケースがある。特許文献１には、これに対応可能な仕組みとして、ドキュメントの文書中において、検索された履歴を用いて文言にマークを索システムが提案されている。
【０００４】
これにより所定の企業や組織等に蓄積されたドキュメントを出先から容易に、しかもユーザにとって有用度が高い検索結果が得られるようになっている。
【先行技術文献】
【特許文献】
【０００５】
【特許文献１】特開２０１１−１３４２０９号公報
【発明の概要】
【発明が解決しようとする課題】
【０００６】
しかしながら、特許文献１に記載されたドキュメント検索システムは、特定のキーワードに対応した記述内容を表示することは可能であるが、キーワードが明確でないなど正しくない場合や、全体を斜め読みしたい場合などには重要箇所を特定することができない。
【０００７】
例えばキーワードを入力する場合、キーワードが思いつかない場合や間違って入力してしまった場合に所望の結果が得られない場合がある。また、とりあえず全体をぱらぱらと斜め読みしたい場合にはキーワードの入力は不向きである。この場合、他のユーザによく読まれているページや長時間閲覧されたページ、またコピー操作などにより再利用されたページなどを知りたいという要望がある。
【０００８】
そこで本発明では、電子文書を閲覧する際に表示される内容のレベルに応じて、利用者にとって有用と思われる箇所を通知することが可能な仕組みを提供することを目的とする。
【課題を解決するための手段】
【０００９】
前記電子ファイルの内容に対する重要度を記憶した重要度記憶手段と、表示された電子ファイルへのスクロールを受付けるスクロール受付手段と、前記受け付けたスクロールにより表示される内容に対する重要度に応じて、前記電子ファイルへのスクロールの速度を制御するスクロール制御手段と、を有することを特徴とする。
【発明の効果】
【００１０】
本発明によれば、電子文書を閲覧する際に表示される内容のレベルに応じて、利用者にとって有用と思われる箇所を通知することが可能な仕組みを提供することが可能となる。
【図面の簡単な説明】
【００１１】
【図１】本発明の文書閲覧システムのシステム構成の一例を示すシステム構成図である。
【図２】本発明の文書閲覧装置のハードウェア構成の一例を示すハードウェア構成図である。
【図３】本発明の文書閲覧システムの機能構成の一例を示す機能ブロック図である。
【図４】本発明の文書閲覧システムにおける文書閲覧処理の一例を示すフローチャートである。
【図５】本発明の文書閲覧システムにおけるスクロール実施処理の一例を示すフローチャートである。
【図６】本発明の文書閲覧システムにおける表示ポイント管理処理の一例を示すフローチャートである。
【図７】本発明の文書閲覧システムにおけるスクロール画面（順送り）の一例を示す図である。
【図８】本発明の文書閲覧システムにおけるスクロール画面（逆送り）の一例を示す図である。
【図９】本発明の文書閲覧システムにおける表示ポイント管理イメージの一例を示す図である。
【図１０】本発明の文書閲覧システムにおける表示ポイントテーブルの一例を示す図である。
【発明を実施するための形態】
【００１２】
以下、図面を参照して、本発明の実施形態を詳細に説明する。
【００１３】
図１は、本発明の文書閲覧システムのシステム構成の一例を示すシステム構成図である。
【００１４】
クライアント端末装置（文書閲覧装置）１０１や１０２は、サーバ１０３とネットワークを介して接続されており、サーバ１０３に保存される電子マニュアルなどの電子文書を閲覧可能である。サーバ１０３は電子マニュアルの例えばページや章ごと重要度を示す情報を有する。重要度とは、例えば他のユーザにより閲覧された回数や閲覧時間が多いものを重要度が高いものとして管理することが考えられる。
【００１５】
また、あらかじめ電子マニュアルの作成者が重要な部分に対して重要度を付与しておく運用も考えられる。
【００１６】
ユーザがクライアント端末１０１に表示される電子マニュアルをスクロールすると、重要度が高いページはゆっくりとスクロールされ、重要度が高くない（低い）ページは早いスピードでスクロールされるようになっている。
【００１７】
これにより、ユーザは初めて閲覧する電子マニュアルであっても、重要なページはゆっくりスクロールされるので、どこが重要（または多く閲覧されているのか）を知ることができる。
【００１８】
また、クライアント端末１０１とクライアント端末１０２は同様の機能を有しており、２台に限らずもっと多くのクライアント端末が接続されていてもよい。サーバ１０３も同様に複数台数接続されても構わない。
【００１９】
また、サーバ１０３の持つ機能をクライアント端末が有することにより、文書閲覧システムをクライアント端末１台で構成することも可能である。
【００２０】
図２は、本発明の文書閲覧装置のハードウェア構成の一例を示すハードウェア構成図である。
【００２１】
クライアント端末（文書閲覧装置）は、ＣＰＵ２０１、ＲＡＭ２０２、ＲＯＭ２０３、入力コントローラ２０４、ビデオコントローラ２０５、メモリコントローラ２０６、通信Ｉ／Ｆコントローラ２０７、キーボード・マウス２０８、ディスプレイ２０９、及び外部メモリ２１０を備える。
【００２２】
ＣＰＵ２０１は、システムバスに接続される各デバイスやコントローラを統括的に制御する。また、ＲＯＭ２０３あるいは外部メモリ２１０には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００２３】
ＲＡＭ２０２は、ＣＰＵ２０１の主メモリ、ワークエリア等として機能する。ＣＰＵ２０１は、処理の実行に際して必要なプログラム等をＲＯＭ２０３あるいは外部メモリ２１０からＲＡＭ２０２にロードして、該ロードしたプログラムを実行することで各種動作を実現するものである。
【００２４】
また、入力コントローラ２０４で、キーボード・マウス等のポインティングデバイス等からの入力を制御する。ビデオコントローラ２０５は、ディスプレイ２０９等の表示器への表示を制御する。
【００２５】
メモリコントローラ２０６は、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１０へのアクセスを制御する。
【００２６】
通信Ｉ／Ｆコントローラ２０７は、ネットワークを介して外部機器と接続・通信するものであり、ネットワークでの通信制御処理を実行する。例えば、ＴＣＰ／ＩＰを用いた通信等が可能である。
【００２７】
ＣＰＵ２０１は、例えばＲＡＭ２０２内の表示情報用領域へアウトラインフォントの展開（ラスタライズ）処理を実行することにより、ディスプレイ２０９上での表示を可能としている。また、ＣＰＵ２０１は、ディスプレイ２０９上の不図示のマウスカーソル等でのユーザ指示を可能とする。
【００２８】
図３は、本発明の文書閲覧システムの機能構成の一例を示す機能ブロック図である。
【００２９】
本発明の実施の形態に関わるクライアント端末装置１０１とサーバ装置１０３の特徴的な機能の構成を示すブロック図である。
【００３０】
クライアント端末装置１０１は、入力部３０１、データ表示部３０２、表示データ判定部３０３、表示情報送信部３０４を備える。
【００３１】
サーバ装置１０３は、データ保存部３０５、データ読出し部３０６、データポイント管理部３０７、データポイント計算部３０８を備える。
【００３２】
入力部３０１は、図２におけるキーボード・マウス２０８によってユーザによる入力信号を取得する。
【００３３】
データ表示部３０２は、図２におけるＣＰＵ２０１、ＲＯＭ２０３、ビデオコントローラ２０５等によって実現される処理部であり、サーバのデータ読出し部３０６によって取得したデータ（例えば電子マニュアルなどの電子文書）をディスプレイなどの表示装置に表示する。
【００３４】
表示データ判定部３０３は、図２におけるＣＰＵ２０１、ＲＯＭ２０３等によって実現されるものである。表示データ判定部３０３は、データ表示部３０２に表示された電子文書を、サーバのデータポイント管理部３０７からの情報に従ってスクロール速度などの表示制御を行う。
【００３５】
表示情報送信部３０４は、図２におけるＣＰＵ２０１、ＲＯＭ２０３等によって実現される処理部である。表示情報送信部３０４は、表示されている電子マニュアルのページなどの情報を、サーバのデータポイント計算部３０８に送信する。
【００３６】
サーバのデータ保存部３０５は、電子マニュアルを保存し、データ読出し部３０６を介し、クライアントから呼び出される。
【００３７】
図４は、本発明の文書閲覧システムにおける文書閲覧処理の一例を示すフローチャートである。
【００３８】
なお、ステップＳ４０１からステップＳ４０８をクライアント端末１０１が、ステップＳ４１０からステップＳ４１２をサーバ装置１０３が処理するものとする。
【００３９】
ステップＳ４０１でユーザは所定の操作を行うことで文書閲覧システムにログインする。ステップＳ４０２でユーザが指定した電子マニュアルをサーバから読込みマニュアルが表示されるアプリケーションが起動される。
【００４０】
この際、サーバ装置１０３では、ステップＳ４１０において、指定された電子マニュアルに設定されたポイント（重要度）読み込みの依頼として受信して、ステップＳ４１１では当該電子文書の表示項目に対して設定されたポイントをポイント管理部３０７より取得し、ステップＳ４１２でクライアント端末に送信する。
【００４１】
ステップＳ４０３で、ステップＳ４１２でサーバから送信されたポイントを読込む。ポイントとは、電子マニュアルなどの文書閲覧装置に表示される電子文書のページや目次番号やＵＲＬなどの表示項目に対して設定された重要度のことである。複数のユーザによる閲覧履歴をポイント加算していってもよいし、管理者が表示項目に対して重要度を付与するようにしてもよい。詳細については、図１０を利用して説明する。
【００４２】
ステップＳ４０４で電子マニュアルが表示され、ステップＳ４０５で表示されたマニュアルの表示項目に対してスクロールの速度を設定する。
【００４３】
ステップＳ４０６でスクロールの実施が検出されると、ステップＳ４０７に進み、設定された速度によるスクロール処理が実施される、ステップＳ４０８ではマニュアルが表示終了（閉じる）か否かの判定を行いステップＳ４０６からステップＳ４０８のループを行う。電子マニュアルが閉じられたら（表示用のアプリケーションが終了されたら）処理を終了する。
【００４４】
図５は、本発明の文書閲覧システムにおけるスクロール実施処理の一例を示すフローチャートである。
【００４５】
図４のステップＳ４０７に示すスクロール処理の詳細フローチャートである。
【００４６】
なお、本フローチャートにおいては、電子マニュアルの重要度が設定される表示項目をページであるものとして説明する。
【００４７】
スクロールを検知した際にステップＳ５０１では、画面の上から下への順送り（順方向）か、画面下から上への逆送り（逆方向）かのスクロール方向を検知する。順送りの場合は、ステップＳ５０２で表示されているページのポイントにより、表示速度を決定し、ステップＳ５０３で決定された速度によりスクロールを実施し処理を終了する。スクロールの画面例について図７を利用して説明する。
【００４８】
図７は、本発明の文書閲覧システムにおけるスクロール画面（順送り）の一例を示す図である。
【００４９】
文書閲覧装置７０１の表示画面７０２から７０４を例にして説明する。例えば表示画面７０２は初期表示画面であり、順送りでスクロールが行われることにより電子ファイル内の表示項目がスクロールして表示されるものである。
【００５０】
ポイントとは、ページや章などの表示項目に対して重要度を示すレベルとして設定されているものである。このポイントに応じてスクロールされた時のスクロールの速度が変更される。ポイントの一例について図１０を利用して説明する。
【００５１】
図１０は、本発明の文書閲覧システムにおける表示ポイントテーブルの一例を示す図である。
【００５２】
ポイントテーブル１００１は、ファイル情報１００２として、「ユーザの権限情報」「対象ファイル名」「ページ情報」「章情報」「ＨＴＭＬタブ情報」「ポイント」の情報を有する。
【００５３】
「ユーザの権限情報」は、電子ファイルを閲覧するユーザの権限やロールなどの情報が記憶される。この情報を利用することにより同じ役割を持つユーザにとって有用な情報を提供することが可能となる。
【００５４】
登録データ例として、「一般」「初心者」「開発者（不図示）」「システム管理者（不図示）」などが登録される。
【００５５】
「対象ファイル名」は対象となるファイル名が格納されており、ユーザより電子ファイル名の指定を受付けることによりファイルを特定するために利用される。
【００５６】
登録データ例として、「参考書Ａ」「参考書Ｂ」「参考サイト」などが登録される。参考書の場合は、ファイルを特定するためのパス情報と対応づけて格納され、参考サイトはＵＲＬ情報と対応づけて格納されるようにしてもよい。
【００５７】
表示項目に関する情報である「ページ情報」「章情報」「ＨＴＭＬタグ情報」は、それぞれ、ポイント管理を行う項目に対する情報が格納される。表示項目がページの場合、例えばページが切り替わる表示をする際などページ単位にスクロールの速度が制御され、章の場合、例えば文書に対して付与されている目次情報などを利用して章単位にスクロール速度が制御される。
【００５８】
タグの場合は、表示する電子ファイルがＨＴＭＬなどの構造化言語のタグ情報を利用してタグに対してポイントを管理するようになっている。
【００５９】
登録データとして、「ページ」の場合はページ番号、「章」の場合は、章の名前、および「タグ」の場合は、ＨＴＭＬファイルなどに記載されたタグが登録される。
【００６０】
「ポイント」は、電子ファイルの表示項目に対する重要度が設定されているものである。本実施例では、重要度が高いものには高い点数がついている。また基準となるポイントを決めておき（本実施形態では３０）、それよりもポイントが高いか低いかでスクロールの速度を決めるようにしてもよい。
【００６１】
登録データとして、ポイントが格納されている。このポイントは、他のユーザによると対象ファイルの閲覧状況により加算されるようにしてもよいし、管理者が重要な項目に対してあらかじめ設定しておくようにしてもよい。また、点数ではなく、レベルとして「上」「中」「下」として管理してもよいし、スクロール制御「高速」「普通」「低速」として管理してもよい。
【００６２】
図７の説明に戻る。順送りスクロールが実施された場合、画面７０２は、「参考書Ａ」の「１０ページ」を表示するので、「ポイント」が２０となり低いと設定されているのでスクロールが標準の速度よりも早くなる。
【００６３】
画面７０３は、「参考書Ａ」の「１１ページ」を表示するので、「ポイント」が４０となり高いと設定されているのでスクロールが標準の速度よりも遅くなる。
【００６４】
画面７０４は、「参考書Ａ」の「１２ページ」を表示するので「ポイント」が３０となり標準と設定されているのでスクロール速度が標準（例えばクライアント端末のスクロール速度に設定されている値）の速度でスクロールされる。
【００６５】
画面７０５は、画面７０２よりもポイントの高いページが表示される例であり、その場合のスクロール速度は、画面７０３が表示される場合のスクロール速度よりも遅いものとなる。図５の説明に戻る。
【００６６】
ステップＳ５０１で逆送りであると判定された場合、ステップＳ５０４に進み、表示されているページのポイントが所定以上であるかの判定を行う。例えば本実施例では、図１０に示すように３０ポイント以上を所定のポイント以上と判定することができる。
【００６７】
所定のポイント以上であると判定されるとステップＳ５０５に進み、逆送りにより設定されたスピードでスクロールを行い、一方所定のポイント以下であった場合、ステップＳ５０６では、そのページは表示せず（スキップし）次のページを表示し、処理を終了する。ステップＳ５０４からステップＳ５０６における逆送りの画面例について図８を利用して説明する。
【００６８】
図８は、本発明の文書閲覧システムにおけるスクロール画面（逆送り）の一例を示す図である。
【００６９】
文書閲覧装置８０１の表示画面８０５から８０２に向かって逆送りにスクロールが行われた場合の画面イメージである。表示画面に表示される項目のポイントは、８０５から８０２まで、順に所定のポイントより高い−低い−低い−高いとなっているものとする。
【００７０】
表示画面８０４はポイントが高いので表示項目通常に表示され、表示画面８０３および８０４は表示が飛ばされ（スキップされ）次の表示項目が表示画面８０２に表示される。次に図６を用いてユーザの閲覧状況によるポイントの加算方法を説明する。
【００７１】
図６は、本発明の文書閲覧システムにおける表示ポイント管理処理の一例を示すフローチャートである。
【００７２】
本発明の実施の形態に係るサーバ１０３により管理するデータポイントに関するフローチャートを示す図である。
【００７３】
ステップＳ６０１で電子マニュアルが表示されることで処理が開始される。ステップＳ６０２では表示されている項目（例えばページ、章、タグ）が一定時間表示されたかどうかを判定し、一定時間経過している場合には、ページポイントとして表示項目に対してポイントの加算をサーバ装置に対して送信する。
【００７４】
サーバ装置は、ステップＳ６１１でページポイントの加算を受付け、ステップＳ６１２で表示ページポイントの加算を行う。加算するのは、図１０に示す表示ポイントテーブルであって、ユーザ権限ごとに表示項目に対してポイントを加算する。
【００７５】
クライアント端末はステップＳ６０４で、マニュアルが表示終了か否かの判定を行いステップＳ６０１からステップＳ６０４のループ処理を行う。電子マニュアルが閉じられたら処理を終了する。
【００７６】
図９は、本発明の文書閲覧システムにおける表示ポイント管理イメージの一例を示す図である。
【００７７】
（１）クライアント装置で特定のページが一定時間表示されたことを検出する。
（２）表示ページに対する加算ポイントをサーバへ送信する。
（３）サーバは受信した加算ポイントを表示ポイントテーブルに追記する。
【００７８】
これによって他人の利用状況に応じて多く読まれているページなどをスクロール速度が遅く表示されることになるので、文書全体をスクロールしながら多くの人に読まれた重要と思われる項目を知ることが可能となる。
【００７９】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００８０】
また、本発明におけるプログラムは、フローチャートの処理方法をコンピュータが実行可能なプログラムであり、本発明の記憶媒体はフローチャート処理方法をコンピュータが実行可能なプログラムが記憶されている。
【００８１】
なお、本発明におけるプログラムは各装置の処理方法ごとのプログラムであってもよい。
【００８２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００８３】
この場合、記録媒体から読み出されたプログラム自体が本発明の新規な機能を実現することになり、そのプログラムを記憶した記録媒体は本発明を構成することになる。
【００８４】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００８５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８７】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。  さらに、本発明を達成するためのプログラムをネットワーク上のサーバ、データベース等から通信プログラムによりダウンロードして読み出すことによって、そのシステムあるいは装置が、本発明の効果を享受することが可能となる。
【００８８】
なお、上述した各実施形態およびその変形例を組み合わせた構成も全て本発明に含まれるものである。
【符号の説明】
【００８９】
１０１  クライアント端末
１０２  他クライアント端末
１０３  サーバ
２０１  ＣＰＵ
２０２  ＲＡＭ
２０３  ＲＯＭ
２０４  入力コントローラ
２０５  ビデオコントローラ
２０６  メモリコントローラ
２０７  通信Ｉ／Ｆコントローラ
２０８  キーボード・マウス
２０９  ディスプレイ
２１０  外部メモリ（ＨＤ）
【図１】
2015049663.tif 000003
【図２】
2015049663.tif 000004
【図３】
2015049663.tif 000005
【図４】
2015049663.tif 000006
【図５】
2015049663.tif 000007
【図６】
2015049663.tif 000008
【図７】
2015049663.tif 000009
【図８】
2015049663.tif 000010
【図９】
2015049663.tif 000011
【図１０】
2015049663.tif 000012